(57)【要約】  【課題】光源と電力供給線とを容易に脱着可能として光源のメンテナンス交換を容易にする。  【解決手段】表示装置用照明装置３９であって、両端に電極端子２８ａ、２８ｂを設けた光源２８と、光源２８に電力供給する電力供給線３３の端部に取り付けられたコネクタ３２と、光源２８の端部に配置される光源保持用シャーシ２９と、シャーシ２９に開口された挿入部２９ｃとを備え、挿入部２９ｃの内側に光源２８の電極端子２８ａ、２８ｂを配置し、コネクタ３２を外側より挿入部２９ｃへ着脱自在に嵌合することで、コネクタ３２内の端子３８を電極端子２８ａ、２８ｂに接続させる。  【選択図】図２
2005302533.tif 000002
【特許請求の範囲】
【請求項１】
少なくとも一方の端部に第一の端子を有する光源と、
上記光源に電力を供給する電力供給線と、
上記電力供給線と導通された第二の端子を内部に有するコネクタと、
上記コネクタの挿入部を有するシャーシとを備え、
上記コネクタと上記シャーシとを着脱自在に嵌合することで、上記第一の端子と第二
端子とが接続可能な構成とすることを特徴とする表示装置用照明装置。
【請求項２】
上記シャーシは少なくとも上記光源の端部領域に設けられている請求項１に記載の表示装置用照明装置。
【請求項３】
上記コネクタ内の第二の端子は圧接端子とし、上記光源の端部で突出する第一の端子が上記コネクタに差し込まれることで、該端子が上記圧接端子に圧接接続される構成としている請求項１または請求項２に記載の照明装置。
【請求項４】
上記コネクタのハウジング外面に係止部を設けていると共に、上記シャーシのコネクタの挿入部の内面には被係止部を設け、上記コネクタを上記挿入部へ嵌合することで、該係止部が該被係止部に係止されて上記コネクタが上記シャーシに固定される構成としている請求項１乃至請求項３のいずれか１項に記載の照明装置。
【請求項５】
上記シャーシのコネクタの挿入部の内面に係止部を設けていると共に、上記コネクタのハウジング外面には被係止部を設け、上記コネクタを上記コネクタの挿入部へ嵌合することで、該係止部が該被係止部に係止されて上記コネクタが上記シャーシに固定される構成としている請求項１乃至請求項３のいずれか１項に記載の照明装置。
【請求項６】
係止解除手段により上記係止部と上記被係止部との係止を解いて上記コネクタを上記コネクタの挿入部から離脱する構成としている請求項４または請求項５に記載の照明装置。
【請求項７】
上記シャーシの上記挿入部を上記光源の取出口として兼用している請求項１乃至請求項６のいずれか１項に記載の照明装置。
【請求項８】
上記光源は線状光源としている請求項１乃至請求項７のいずれか１項に記載の照明装置。
【請求項９】
上記線状光源は、熱陰極管、冷陰極管あるいはキセノン管からなる放電管、もしくは、線状光源化したＬＥＤとしている請求項８に記載の照明装置。
【請求項１０】
上記光源は線状で複数本が並列配置され、少なくとも２本以上の該光源の一端側の端子は互いに電気接続されている請求項１乃至請求項９のいずれか１項に記載の照明装置。
【請求項１１】
上記光源は折り返し状に湾曲されて、両端の端子が同方向に突出している請求項１乃至請求項９のいずれか１項に記載の照明装置。
【請求項１２】
上記折り返し状の光源は、略Ｕ字状あるいは略Ｗ字状に形成されている請求項１１に記載の照明装置。
【請求項１３】
上記コネクタは複数の端子を設けており、上記光源の複数の端子に対して上記コネクタで一括して接続している請求項１乃至請求項１２のいずれか１項に記載の照明装置。
【請求項１４】
上記コネクタと上記電力供給線とを着脱自在とするものであって、
上記電力供給線の端部に小コネクタを接続すると共に上記コネクタの背面側に取付穴を設け、上記小コネクタを該取付穴に嵌合することで、上記小コネクタ内の端子と上記コネクタ内の端子とを接続している請求項１乃至請求項１３のいずれか１項に記載の照明装置。  
【請求項１５】
上記小コネクタのハウジング外面に係止部を設けていると共に、上記コネクタの取付穴の内面には被係止部を設け、上記小コネクタを上記取付穴へ嵌合することで、該係止部が該被係止部に係止されて上記小コネクタが上記コネクタに固定される構成としている請求項１４に記載の照明装置。
【請求項１６】
上記シャーシの上記挿入部は上記光源の軸線方向に開口されている請求項１乃至請求項１５のいずれか１項に記載の照明装置。
【請求項１７】
上記シャーシの上記挿入部は上記光源の軸線方向に直交する方向に開口されている請求項１乃至請求項１５のいずれか１項に記載の照明装置。
【請求項１８】
上記シャーシには上記光源の軸線方向に光源用の取出口を開口している請求項１７に記載の照明装置。
【請求項１９】
上記取出口は、上記挿入部に挿入される上記コネクタにより閉鎖される構成としている請求項１８に記載の照明装置。
【請求項２０】
上記コネクタのハウジングは樹脂あるいはシリコーンゴムからなる高分子材料で成形されている請求項１乃至請求項１９のいずれか１項に記載の照明装置。
【請求項２１】
上記コネクタのハウジング内には剛性を有する内装部材を内嵌し、上記電力供給線の端末に接続された端子を上記内装部材に係止している請求項２０に記載の照明装置。
【請求項２２】
上記コネクタのハウジングは、断面矩形状、断面円形状、断面三角形状あるいは断面多角形状としている請求項１乃至請求項２１のいずれか１項に記載の照明装置。
【請求項２３】
上記コネクタのハウジング外面には位置決め用のガイド突起部を設けていると共に、上記シャーシの挿入部には該ガイド突起部に対応するガイド溝を設けている請求項１乃至請求項２２のいずれか１項に記載の照明装置。
【請求項２４】
上記挿入部に位置決め用のガイド突起部を設けていると共に、上記コネクタのハウジング外面には該ガイド突起部に対応するガイド溝を設けている請求項１乃至請求項２３のいずれか１項に記載の照明装置。
【請求項２５】
上記コネクタの上記係止部は係止突起としている一方、上記シャーシの上記被係止部はコネクタ挿入側端面から上記挿入部の内面に沿って切り欠かれた被係止溝とすると共に該被係止溝は屈曲部を設けており、
上記コネクタを上記挿入部に挿入すると共に上記係止突起を上記被係止溝にスライド挿入し、上記コネクタを軸線回りに回転させることで、上記係止突起を上記屈曲部に係止する構成としている請求項１乃至請求項２２のいずれか１項に記載の照明装置。
【請求項２６】
上記被係止溝の終端はコネクタ挿入方向と逆方向に向けて屈曲された返し部を設けている請求項２５に記載の照明装置。
【請求項２７】
上記被係止溝の屈曲部は鈍角に屈曲されている請求項２５または請求項２６に記載の照明装置。
【請求項２８】
上記被係止溝は螺旋状に形成されている請求項２５乃至請求項２７のいずれか１項に記載の照明装置。
【請求項２９】
上記圧接端子は、互いに対向する一対の弾性舌片部を備え、上記光源の端子を上記弾性舌片部で圧接挟持する構成としている請求項２乃至請求項２８のいずれか１項に記載の照明装置。
【請求項３０】
上記各弾性舌片部は、端子先端側より逆Ｕ字状に対向して折り返している請求項２９に記載の照明装置。
【請求項３１】
上記圧接端子は、上記光源の端子を挿入するスロットを切り欠いている請求項２乃至請求項２８のいずれか１項に記載の照明装置。
【請求項３２】
上記圧接端子は、上記光源と同じ軸線方向を有する略円筒部を備え、上記光源の端子を上記略円筒部の内部に密嵌挿入して圧接接続する構成としている請求項２乃至請求項２８のいずれか１項に記載の照明装置。
【請求項３３】
上記略円筒部は、先端側から後端側へと内部空間を狭めている請求項３２に記載の照明装置。
【請求項３４】
表示パネルの背面側に光学部材を介して上記光源を配置し、該表示装置を背面から照射する直下型(ダイレクト型)バックライトとしている請求項１乃至請求項３３のいずれか１項に記載の照明装置。
【請求項３５】
並列配置された上記光源の両側に直交して配置される上記シャーシに挿通孔が穿設され、該挿通孔は上記挿入部と連通し、上記挿通孔に光源の端部を挿通することで位置決めしている請求項３４に記載の照明装置。
【請求項３６】
上記光源の背面側の部材から光源位置決め用のガイド部を突出させている請求項３４または請求項３５に記載の照明装置。
【請求項３７】
表示パネルの背面側に光学部材を介して導光板を配置し、該導光板の少なくとも一側端面に上記光源を配置しているエッジライト(サイドライト)型バックライトとしている請求項１乃至請求項３３のいずれか１項に記載の照明装置。
【請求項３８】
表示パネルの前面側に光学部材を介して導光板を配置し、該導光板の少なくとも一側端面に上記光源を配置しているエッジライト(サイドライト)型フロントライトとしている請求項１乃至請求項３３のいずれか１項に記載の照明装置。
【請求項３９】
上記光源は断面略コ字状のリフレクタで囲まれており、上記光源を保持したホルダを上記リフレクタ内にスライド嵌合させることで位置決めしている請求項３７または請求項３８に記載の照明装置。
【請求項４０】
上記表示装置が電気的に電磁波の偏向性を制御される構成としている請求項１乃至請求項３９のいずれか１項に記載の照明装置。
【請求項４１】
上記表示装置が物理的、機械的シャッタリング方式によって電磁波の強度を制御する構成とされている請求項１乃至請求項４０のいずれか１項に記載の照明装置。
【請求項４２】
上記表示パネルは液晶パネルとし、上記表示装置は液晶表示装置としている請求項１乃至請求項４１のいずれか１項に記載の照明装置。
【請求項４３】
請求項１乃至請求項４２のいずれか１項に記載の照明装置と、光学部材と、自発光素子を有しない受動型の表示パネルとを積層配置していることを特徴とする表示装置。
【発明の詳細な説明】
【技術分野】
【０００１】
本発明は、表示装置用照明装置に関し、詳しくは、表示装置に用いる照明装置を構成する光源に電力供給線から電力を供給するものに関する。
【背景技術】
【０００２】
近年、表示装置として、ブラウン管を使用したＣＲＴ(Cathode Ray Tube)より、薄く且つ平面であるＦＰＤ(Flat Panel Display)と称されるディスプレイが大きな市場を開拓してきている。ＦＰＤとしては様々な種類が存在するが、その中でもプラズマディスプレイと液晶ディスプレイが主流となっている。両者ともそれぞれ特徴を持っており、プラズマディスプレイは放電現象を利用して、大画面、高輝度を実現可能としている。一方、液晶ディスプレイは小型から大きなサイズまで対応でき、小型、低消費電力、軽量、高コントラストを実現可能としている。
【０００３】
上記した低消費電力、薄型、軽量、種サイズに対応可能な液晶ディスプレイは、図５４に示すように、対向配置する２枚のガラス基板４００Ａ、４００Ｂの内面にそれぞれ碁盤目状に透明電極４０１Ａ、４０１Ｂ、配向膜４０２Ａ、４０２Ｂを配置し、配向膜４０２Ａと４０２Ｂの間に、電界をかけるとその分子の向きを変化させて通過する光の偏光特性と変化させる特性を有する液晶材料４０３を封入し、かつ、上記２枚のガラス基板４００Ａ、４００Ｂの外側に偏光板４０４Ａ、４０４Ｂを貼り付けている。
また、カラー液晶ディスプレイではライト配置側と反対側の表示側のガラス基板４００Ｂと透明電極４０１Ｂとの間にＲ、Ｇ、Ｂなどの色が付いたカラーフィルタ４０５を配置している。上記液晶ディスプレイでは、液晶材料４０３をＴＦＴにより電気的に制御することで、その各素子内を通過する光の偏光特性を制御し、かつ、光が通過する量を偏光板でコントロールしている。即ち、液晶表示装置は、液晶材料に電圧を印加して、そこを通過する光の偏光特性を制御して、映像を表示している。  
【０００４】
上記のように、液晶表示装置は、自分自身が発光する自発光素子ではなく、外部からの何らかの光によって映像を表示する受動型素子であり、該受動型素子に対して、フロントライトや、バックライトとして照明装置は広く用いられている。
本発明では、上記外部からの光によって映像を表示できる表示手段を有する装置を照明するための照明装置に関し、該照明装置を表示装置用照明装置として称している。
【０００５】
上記液晶表示装置の照明装置としては、大別して、高輝度、高効率、大型化可能な直下(ダイレクト)方式と、小型、薄型、低消費電力であるエッジライト（サイドライト）方式との２種類がある。前記直下方式は、液晶パネルの背面にランプを並べ、直接光を利用することで、高輝度、高効率な面光源となるが、該直下方式は薄型化が困難なことや、消費電力が大きい等のデメリットがある。
一方、エッジライト方式は導光板（ライトガイド）といわれるアクリルで作られた板の側面に光源を１本以上配置し、光を導光板内で拡散・散乱させ面状光源とすることで、薄型化、低消費電力化を実現している。しかしながら、画面サイズが大きくなるにつれ、導光板サイズも大きくなり、重量も重くなるデメリットがある。そのため、エッジライト方式は小型で、消費電力が重視されるモバイル用途で多く採用されている。
上記エッジライト方式は更に２つに分類され、液晶表示装置の背面に照明装置を配置するバックライト方式と、前面に配置して反射または半透過(反射・透過のハイブリット)の液晶表示装置により反射光を利用するフロントライト方式がある。
【０００６】
液晶表示装置の寿命は光源の寿命にほぼ依存しており、故障した光源を新品のものに交換するメンテナンスを行えば、液晶表示装置は半永久的に使用できる利点がある。
【０００７】
図５５はエッジライト(サイドライト)型バックライトの線状光源へ電力を供給する構造を示している。線状光源１の両端より突出する電極端子２Ａ、２Ｂに、インバータと接続された電力供給線３、４の芯線を半田接続しており、ＧＮＤ側（低圧側）の電極端子２Ｂに半田接続された電力供給線３は線状光源１を囲むリフレクタ５の背面側を通ってＨＯＴ側（高圧側）まで戻すように配線されている。なお、直下(ダイレクト)型バックライトの線状光源への電力供給構造も上記とほぼ同様である。
【０００８】
しかしながら、上記構成の場合には電力供給線３、４と電極端子２Ａ、２Ｂとが半田接続されており、かつ、ＧＮＤ側の電力供給線３がリフレクタ５の背面を迂回して配線されているので、線状光源１の故障発生時のメンテナンスにおいて、線状光源１のみを取り外すことが困難となりメンテナンス性およびリサイクル性が悪い問題があった。特に、線状光源として有害物質である水銀を含むランプを使用している場合には、ランプのみを安全に取り外して容易に新品と交換できることが望ましい。また、製造時においては、線状光源１の電極端子２Ａ、２Ｂに電力供給線３、４を半田付けする作業が必要があり、作業手数および作業コストが増大する問題もある。
【０００９】
そこで、特開２００２−２６０７９６号公報では、図５６に示すように、バックライト用蛍光管９と電力供給線１２とを半田レスで接続する接点部材６が提案されている。
接点部材６は、外面を被覆部材８で覆われた導電性樹脂製の基体７の両端に第１孔１５および第２孔１６を設けており、バックライト用蛍光管９は先端の電極端子１１を導電性部材１１で外嵌していると共に、電力供給線１２は先端の導線１３を導電性部材１４で覆っている。そして、バックライト用蛍光管９の先端の導電性部材１１を第１孔１５に挿入すると共に、電力供給線１２の先端の導電性部材１４を第２孔１６に挿入することで、接点部材６の基体７を介してバックライト用蛍光管９に電力を供給している。
【００１０】
しかしながら、上記公報の接点部材６によると、導電性樹脂で導通を図っているため金属に比べて導電率が低くエネルギーロスが発生し、また、バックライト用蛍光管９および電力供給線１２の導電性部材１１、１４を第１孔１５および第２孔１６に挿入する構成としているので電気接続信頼性が低い問題がある。さらに、電力供給線１２の導線１３およびバックライト用蛍光管９の電極端子１０に導電性部材１１、１４を形成する必要があるため作業工数が増大する問題もある。また、接点部材６やバックライト蛍光管９や電力供給線１２が固定されていないため、位置決め保持の信頼性が低いという問題もある。
【００１１】
一方、図５７に示すように、複数本の線状光源１が平行配置された直下(ダイレクト)型バックライトの場合には、一方にＨＯＴ側（高圧側）が集めて配置されていると共に他方にＧＮＤ側（低圧側）が集めて配置されているので、ＨＯＴ側とＧＮＤ側での電流密度の相違により輝度の高い領域Ｈと輝度の低い領域Ｇとが発生し、線状光源１の軸線方向の輝度ムラ等が生じてしまう問題がある。即ち、図５８（Ａ）に示すように、線状光源１はＨＯＴ側では電位が高いがＧＮＤ側では電位が減衰して低くなるために、図５８（Ｂ）に示すように、液晶表示装置の表示画面１８に明るい箇所と暗い箇所とが生じる輝度ムラが発生し表示品位が低下する問題がある。
また、各線状光源１に給電される電流が同位相である場合には、隣接する線状光源１のチラツキが同周期となり、バックライト全体としてのチラツキ大きくなると共に、液晶パネルへの電気的なノイズが発生する問題もある。
【特許文献１】特開２００２−２６０７９６号公報
【発明の開示】
【発明が解決しようとする課題】
【００１２】
本発明は、上記問題に鑑みてなされたもので、光源と電力供給線とを容易に脱着可能として光源のメンテナンス交換を容易に行えるようにすること等を課題としている。
【課題を解決するための手段】
【００１３】
上記課題を解決するため、本発明は、少なくとも一方の端部に第一の端子を有する光源と、
上記光源に電力を供給する電力供給線と、
上記電力供給線と導通された第二の端子を内部に有するコネクタと、
上記コネクタの挿入部を有するシャーシとを備え、
上記コネクタと上記シャーシとを着脱自在に嵌合することで、上記第一の端子と第二
端子とが接続可能な構成とすることを特徴とする表示装置用照明装置を提供している。
【００１４】
上記構成とすると、電力供給線をコネクタを介して光源の端子に着脱自在に接続するようにしているので、光源に故障が発生した際などにコネクタを光源の端子から抜くだけで容易に光源を取り出して新品の光源と交換することができる。また、コネクタはシャーシの挿入部に嵌合保持して安定的にホールドされる構成としているので、光源を引き抜けばコネクタと分離して容易に光源のみを取り出すことができる。さらに、光源の端子と電力供給線とをコネクタ接続して半田レスとしているので、組み立て時の作業工数および作業コストを低減することができる。
なお、上記シャーシは、照明装置の筐体となるシャーシの一部であってもよいし、光源保持用の別体であってもよい。
また、上記シャーシは少なくとも上記光源の端部領域に設けられている。
【００１５】
上記コネクタ内の第二の端子は圧接端子とし、上記光源の端部で突出する第一の端子が上記コネクタに差し込まれることで、該端子が上記圧接端子に圧接接続される構成としている。
【００１６】
上記構成とすると、コネクタ端子に圧接端子を用いることで光源の端子に対して安定的な電気接続を確保することができると共に、光源の端子のコネクタ端子からの抜け防止にも貢献する。
【００１７】
上記コネクタのハウジング外面に係止部を設けていると共に、上記シャーシのコネクタの挿入部の内面には被係止部を設け、上記コネクタを上記挿入部へ嵌合することで、該係止部が該被係止部に係止されて上記コネクタが上記シャーシに固定される構成としている。あるいは、
上記シャーシのコネクタの挿入部の内面に係止部を設けていると共に、上記コネクタのハウジング外面には被係止部を設け、上記コネクタを上記コネクタの挿入部へ嵌合することで、該係止部が該被係止部に係止されて上記コネクタが上記シャーシに固定される構成としている。
【００１８】
上記構成とすると、コネクタはシャーシの挿入部に嵌合した状態で安定的に係止固定されるので、コネクタの抜け防止が図られて位置ズレ等が防止できると共に、光源の交換時において作業者がコネクタを保持せずに光源だけを持って引き抜いても、コネクタと容易に分離して光源のみを取り出すことができ作業性が向上する。
【００１９】
係止解除手段により上記係止部と上記被係止部との係止を解いて上記コネクタを上記コネクタの挿入部から離脱する構成としている。
【００２０】
上記構成とすると、係止解除手段を用いてコネクタとシャーシとの係止を解くことによって、安定的に固定されたコネクタを光源交換のメンテナンス時に簡単に離脱させることができ、作業負担を軽減することができる。
【００２１】
上記シャーシの上記挿入部を上記光源の取出口として兼用している。
【００２２】
上記構成とすると、コネクタを取り外すことで開口されるシャーシの挿入部を通して光源を取り出すことができるので、シャーシを分解することなくメンテナンスを行うことができ作業工数を低減することが可能となる。
【００２３】
上記光源は線状光源としていると好適である。
また、上記線状の光源は、熱陰極管、冷陰極管あるいはキセノン管からなる放電管、もしくは、線状光源化したＬＥＤとしていると好適である。
【００２４】
上記光源は線状で複数本が並列配置され、少なくとも２本以上の該光源の一端側の端子は互いに電気接続されている。
【００２５】
上記構成とすると、並列配置された複数の線状光源が折り返し状に直列接続された状態となり、上記コネクタと接続される光源の端子のＨＯＴ側（高圧側）とＧＮＤ側（低圧側）とが同側に配置されることとなる。つまり、電流密度が大きく輝度の高いＨＯＴ側と、電流密度が小さく輝度の低いＧＮＤ側とが同側に配置されるので、線状光源の軸線方向の電流密度分布の相違が打ち消され、輝度ムラ・色度ムラを低減することができる。
また、上記のようにＨＯＴ側とＧＮＤ側とが同側となることで、隣接する光源のチラツキを相殺することができ、照明装置全体としてのチラツキを低減できると共に、積層される液晶パネルへの電気的ノイズも低減することができる。
【００２６】
あるいは、上記光源は折り返し状に湾曲されて、両端の端子が同方向に突出している構成としても好適である。
【００２７】
上記構成とすると、上記同様に光源両端の端子を同側に配置させて輝度ムラ等を低減できると共に、光源同士を直列接続させる作業を不要とすることができる利点がある。
【００２８】
具体的には、上記折り返し状の光源は、略Ｕ字状あるいは略Ｗ字状に形成されていることが好ましい。
【００２９】
上記コネクタは複数の端子を設けており、上記光源の複数の端子に対して上記コネクタで一括して接続している。
【００３０】
例えば、１つの光源の端子に対して１つのコネクタを個別に接続させると端子の数だけコネクタ嵌合作業が発生するが、上記構成とすれば、端子の数が多数存在しても１アクションで一括してコネクタ接続を行うことができ、作業工数を低減することができる。
【００３１】
上記コネクタと上記電力供給線とを着脱自在とするものであって、
上記電力供給線の端部に小コネクタを接続すると共に上記コネクタの背面側に取付穴を設け、上記小コネクタを該取付穴に嵌合することで、上記小コネクタ内の端子と上記コネクタ内の端子とを接続している。
【００３２】
上記構成とすると、小コネクタを取付穴から離脱させれば、電力供給線だけをコネクタから取り外すことができる。
【００３３】
上記小コネクタのハウジング外面に係止部を設けていると共に、上記コネクタの取付穴の内面には被係止部を設け、上記小コネクタを上記取付穴へ嵌合することで、該係止部が該被係止部に係止されて上記小コネクタが上記コネクタに固定される構成としている。
【００３４】
上記構成とすると、電力供給線に引っ張り負荷が生じても小コネクタのコネクタハウジングからの脱落を防止することができる。
【００３５】
上記シャーシの上記挿入部は上記光源の軸線方向に開口されている。
【００３６】
上記構成とすると、コネクタを取り外して開口された挿入部を通して光源をスライドさせて取り出すことができる。
【００３７】
上記シャーシの上記挿入部は上記光源の軸線方向に直交する方向に開口されている。
【００３８】
上記構成とすると、取付スペース等の問題からコネクタの脱着作業が光源の軸線方向から行いにくい場合等にも作業性を維持することができ好適である。
【００３９】
上記シャーシには上記光源の軸線方向に光源用の取出口を開口している。
こうすると、コネクタを取り外した後に上記取出口を通して光源をスライドさせることで、分解せずに光源を取り出すことができる。
【００４０】
そして、上記取出口は、上記挿入部に挿入される上記コネクタにより閉鎖される構成としている構成としていると好ましい。
こうすると、コネクタを挿入部に嵌合挿入した状態では取出口が閉鎖されるので、取出口を通じてゴミ等が混入するのを防止できると共に、安全上・外観上も良好となる。
【００４１】
上記コネクタのハウジングは樹脂あるいはシリコーンゴムからなる高分子材料で成形されている。
【００４２】
上記構成とすると、コネクタはある程度の弾性を有するのでシャーシの挿入部への脱着が行い易くなる。特に、コネクタと挿入部との間に係止構造がある場合には、その脱着時にコネクタの係止部が弾性により撓んで、容易に係止・解除を行うことができる。
【００４３】
上記コネクタのハウジング内には剛性を有する内装部材を内嵌し、上記電力供給線の端末に接続された端子を上記内装部材に係止している。
【００４４】
上記構成とすると、上記コネクタはハウジング内に剛性を有する内装部材が内嵌されたハイブリッド仕様としているので、コネクタハウジングの弾性が大きい場合でも、剛性のある内装部材により電力供給線端末の端子を安定的に保持することができる。なお、上記内装部材としては、金属や剛性を有する樹脂等とするとよい。
【００４５】
上記コネクタのハウジングは、断面矩形状、断面円形状、断面三角形状あるいは断面多角形状としている。
【００４６】
上記構成とすると、コネクタハウジング内に保持される端子の数・配列や、シャーシの挿入部の開口可能形状に合わせて、最適な形状とすることができる。
【００４７】
上記コネクタのハウジング外面には位置決め用のガイド突起部を設けていると共に、上記シャーシの挿入部には該ガイド突起部に対応するガイド溝を設けている。あるいは、
上記挿入部に位置決め用のガイド突起部を設けていると共に、上記コネクタのハウジング外面には該ガイド突起部に対応するガイド溝を設けている。
【００４８】
上記構成とすると、コネクタに位置決め用のガイド突起部を設けることで、コネクタを挿入部に嵌合した状態におけるガタつきや回転方向のズレ等を防止することができる。
【００４９】
上記コネクタの上記係止部は係止突起としている一方、上記シャーシの上記被係止部はコネクタ挿入側端面から上記挿入部の内面に沿って切り欠かれた被係止溝とすると共に該被係止溝は屈曲部を設けており、
上記コネクタを上記挿入部に挿入すると共に上記係止突起を上記被係止溝にスライド挿入し、上記コネクタを軸線回りに回転させることで、上記係止突起を上記屈曲部に係止する構成としている。
【００５０】
上記構成とすると、コネクタを挿入部に挿入後に軸線回りに回転させるだけで係止固定することできるので、作業者はコネクタを大きな力で押し込む等する必要がなく作業負荷を軽減することができる。また、光源の交換時には、上記と逆の動作でコネクタを回転させて引き抜くだけで係止を解除することができる。
【００５１】
上記被係止溝の終端はコネクタ挿入方向と逆方向に向けて屈曲された返し部を設けている。
【００５２】
上記構成とすると、コネクタの係止突起を被係止溝の終端に係止した状態では、係止突起が上記返し部に位置されるので、振動等が発生しても係止が解除されにくく、コネクタの不意の脱落を防止することができる。
【００５３】
上記被係止溝の屈曲部は鈍角に屈曲されている。
【００５４】
上記構成とすると、被係止溝が斜め（流線型状）に形成されるので、被係止溝に追従したコネクタの回転動作と共にコネクタを光源の端子に近接・離反させることができ、電極端子との接続距離を調整設定することが可能となる。
【００５５】
上記被係止溝は螺旋状に形成されている。
【００５６】
上記構成とすると、係止突起が被係止溝に追従するようにコネクタを挿入部に回転しながら挿入するので、光源の端子とコネクタとの間の距離を調節することができると共に、端子に対して一定の接触圧を加えることができる。また、被係止溝が螺旋状であることより、振動等があってもコネクタが容易には抜けない利点がある。
【００５７】
上記圧接端子は、互いに対向する一対の弾性舌片部を備え、上記光源の端子を上記弾性舌片部で圧接挟持する構成としている。
具体的には、上記各弾性舌片部は、端子先端側より逆Ｕ字状に対向して折り返しているとよい。
【００５８】
上記構成とすると、光源の端子を上記一対の弾性舌片部の間に挿入するだけで、弾性舌片部の対向側への挟持力により端子が圧接され、電気接続を安定的に確保することができる。また、光源の交換時には、光源を引き抜くだけで電極端子を弾性舌片部の間から容易に離脱させることができる。
【００５９】
あるいは、上記圧接端子は、上記光源の端子を挿入するスロットを切り欠いている構成としても好適である。
【００６０】
上記構成とすると、光源の端子を上記端子のスロットにスライド挿入するだけで圧接接続させることができる。
【００６１】
上記圧接端子は、上記光源と同じ軸線方向を有する略円筒部を備え、上記光源の端子を上記略円筒部の内部に密嵌挿入して圧接接続する構成としている。
【００６２】
上記構成とすると、光源の端子が略円筒部に内嵌されて軸支されるので、端子と圧接端子とを周状に接触させることができる。
特に、上記略円筒部は、先端側から後端側へと内部空間を狭める構成とすれば、光源の端子の挿入に従って接触圧を高めることができる。
【００６３】
表示パネルの背面側に光学部材を介して上記光源を配置し、該表示装置を背面から照射する直下型(ダイレクト型)バックライトとしている。
【００６４】
上記構成とすると、直下に配置された光源により表示パネルに直接的に光を照射することができるので、大画面であっても高輝度を保つことができる。
【００６５】
並列配置された上記光源の両側に直交して配置される上記シャーシに挿通孔が穿設され、該挿通孔は上記挿入部と連通し、上記挿通孔に光源の端部を挿通することで位置決めしている。
【００６６】
上記構成とすると、上記光源の端部は挿通孔に位置決めされるので、光源の端子がシャーシの挿入部に嵌合されたコネクタの端子に合致するようにアライメントすることができる。
【００６７】
上記光源の背面側の部材から光源位置決め用のガイド部を突出させている。
【００６８】
上記構成とすると、光源を上記ガイド部により位置決めしているので、光源の脱着作業を行う際に、光源の端子がシャーシの挿入部に嵌合されたコネクタの端子に合致するようにアライメントすることができる。
【００６９】
表示パネルの背面側に光学部材を介して導光板を配置し、該導光板の少なくとも一側端面に上記光源を配置しているエッジライト(サイドライト)型バックライトとしている。
【００７０】
あるいは、表示パネルの前面側に光学部材を介して導光板を配置し、該導光板の少なくとも一側端面に上記光源を配置しているエッジライト(サイドライト)型フロントライトとしている。
【００７１】
上記構成とすると、サイドに配置された光源から出射された光が導光板内を伝播して面状に発光し、液晶パネルの背面あるいは前面を面状に照射することができる。
【００７２】
上記光源は断面略コ字状のリフレクタで囲まれており、上記光源を保持したホルダを上記リフレクタ内にスライド嵌合させることで位置決めしている。
【００７３】
上記構成とすると、光源がリフレクタ内でホルダにより位置決めされるので、光源の端子がシャーシの挿入部に嵌合されたコネクタの端子に合致するようにアライメントすることができる。
【００７４】
さらに、表示装置用照明装置において、その表示装置が電気的に電磁波の偏向性を制御する構成とされている場合にも適用できる。
前記したように、液晶表示装置では液晶材料に電圧を印加して、そこを通過する光の偏光特性を制御しているが、光は３８０ｎｍ〜７８０ｎｍの人間が認識できる可視光領域の電磁波であるため、上記範囲の電磁波に限定されず、電気的に電磁波の偏向性を制御する方式の表示装置にも適用できる。
電磁波は、ｘ軸方向とｙ軸方向（ｐ波、ｓ波）の２つの波の合成波からなり、２つの波の位相をそれぞれずらすことで、合成された電磁波(光)の波形を変化させることができる。この合成された波形が様様な形状を取りうる状態、即ち、電磁波の偏向性を電気的に制御する表示装置も前記した本発明の照明装置を用いることができる。
【００７５】
また、表示装置用照明装置が、その表示装置が物理的、機械的シャッターリング方式によって電磁波の強度を制御しうる構成とされた場合にも適用できる。
表示装置として、前記した液晶に電圧をかけ、電気的に電磁波(光)の偏向性を制御する方式以外の表示装置で、物理的、機械的シャッタリング方式によって電磁波(光)の強度を制御する表示装置にも前記本発明の照明装置を用いることができる。
特に、上記表示パネルは液晶パネルとし、上記表示装置は液晶表示装置としていると好ましい。
【００７６】
また本発明は、上記照明装置と、光学部材と、自発光素子を有しない受動型の表示パネルとを積層配置していることを特徴とする表示装置を提供している。
【発明の効果】
【００７７】
以上の説明より明らかなように、本発明によれば、電力供給線がコネクタを介して光源の端子に着脱自在に接続されるので、光源の故障時などに光源を電力供給線等と分別して取り出すことができ、メンテナンス性およびリサイクル性が向上する。また、コネクタはシャーシの挿入部に嵌合して安定保持されるので、光源を引き抜けばコネクタと分離して容易に光源のみを取り出すことができ作業性が向上する。さらに、光源の電極端子と電力供給線とをコネクタ接続して半田レスとしているので、組み立て時の作業工数および作業コストも低減される。
【発明を実施するための最良の形態】
【００７８】
本発明の実施形態を図面を参照して説明する。
図１乃至図５は第１実施形態を示す。
本実施形態の表示装置は液晶表示装置２０とし、液晶パネル２２の周縁を枠状のフロントシャーシ２３とベゼル２１とで挟持し、液晶パネル２２の下方に光学部材である光学シート群２７を配置している。光学シート群２７の下方には複数の線状光源２８を並列配置して、各線状光源２８の端部２８ａ、２８ｂを光源保持用シャーシ２９で保持した状態で下方より反射複合材３０およびバックシャーシ３１で閉鎖している。バックシャーシ３１の背面側に配置されるインバータ３６に接続された電力供給線３３の端末にはコネクタ３２が接続されており、このコネクタ３２を光源保持用シャーシ２９の挿入部２０ｃに内嵌挿入することで線状光源２８に給電している。
【００７９】
線状光源２８は、端部に第一の端子となる電極端子２８ａ、２８ｂを突出した冷陰極管を使用している。
光源保持用シャーシ２９は樹脂の成形品であり、複数本の線状光源２８の両端２８ａを一括して位置決め保持するように一対設けられて、その対向面となる内側面２９ｂより線状光源２９を貫通して位置決め保持する挿通孔２９ｅを設けていると共に、外側面２９ａより挿入部２９ｃを挿通孔２９ｅと連通させて設けて線状光源２８の軸線方向を同方向に開口している。また、挿入部２９ｃの上下面には被係止部を凹設している。光源保持用シャーシ２９の下端内側には反射複合材３０の端部を位置決めする切欠部２９ｆを設けている。
【００８０】
コネクタ３２は、電力供給線３３に圧着された第二の端子となる圧接端子３８をハウジング３７内に係止固定している。
圧接端子３８は金属製で、図２および図５に示すように、基板部３８ａの一部より後端側に電力供給線３３の芯線をカシメ圧着するバレル部３８ｂを設けていると共に、基板部３８ａの先端側より逆Ｕ字状に対向して折り返された一対の弾性舌片部３８ｄ、３８ｅを突出しており、この一対の弾性舌片部３８ｄ、３８ｅが電極端子２８ａ、２８ｂに合わせて複数設けられている。また、基板部３８ａの下面にはハウジング３７と係止するランス部３８ｃを切り起こしている。
ハウジング３７は樹脂等の高分子材料からなり、図２に示すように、外面の上下面に係止部３７ａ、３７ｂを突出していると共に、端子収容空間の下面に圧接端子３８のランス部３８ｄが係止される凹部３７ｃを形成している。なお、ハウジング３７の材質は樹脂やゴム材等としても好適である。
【００８１】
光学シート群２７はそれぞれ透過光の拡散・集光等を行う樹脂シートであり、上層から拡散シート２４、プリズムシート２５、拡散シート２６と積層配置している。光学シート群の枚数や組合せは任意であり、例えば上層からＤＢＥＦ−Ｄ、プリズムシート、拡散シートを積層する構成としてもよい。
【００８２】
反射複合材３０は、アルミニウム等の金属板３５の上面に樹脂製の反射シート３４を貼付け接合した反射率９０％以上のアルセット（三菱樹脂株式会社製）を用いている。
バックシャーシ３１は金属製で、装置の強度を向上させる役割と放熱の役割を果たしている。
ベゼル２１は断面逆Ｌ字の枠形状であり、その側面の挿入部２９ｃと対応する位置に開口部２１ａを設けている。
フロントシャーシ２３は断面逆Ｌ字の枠形状であり、その側面の挿入部２９ｃと対応する位置に開口部２３ａを設けている。
【００８３】
液晶表示装置２０を組み立てる際には、図２に示すように、線状光源２８の両端を光源保持用シャーシ２９の挿通孔２９ｅに貫通保持させることにより、挿入部２９ｃに電極端子２８ａ、２８ｂを突出させ、電力供給線３３の端末に接続されたコネクタ３２を側方から挿入部２９ｃに内嵌挿入する。すると、図３および図４に示すように、コネクタ３２内の端子３８の弾性舌片部３８ｄ、３８ｅにより全ての電極端子２８ａ、２８ｂが一括して圧接挟持されて電気接続されると共に、コネクタ３２のハウジング３７の係止部３７ａ、３７ｂが光源保持用シャーシ２９の被係止部２９ｄに係止固定される。
【００８４】
線状光源２８の故障時に新品と交換するメンテナンスの手順は、コネクタ３２を挿入部３２から外側に引っ張ることで樹脂からなる係止部３７ａ、３７ｂを撓ませて係止解除して引き抜き、コネクタ３２と線状光源２８とが容易に分離される。この際、ベゼル２１およびフロントシャーシ２３には挿入部２９ｃに対応する位置に開口部２１ａ、２３ａが設けられているので、ベゼル２１およびフロントシャーシ２３を分解しなくてもコネクタ３２の着脱が行えるようになっている。
【００８５】
そして、線状光源２８を一方の光源保持用シャーシ２９の挿入部２９ｃを通して外部に取り出す。即ち、挿入部２９ｃを線状光源２８の取出口として兼用している。次いで、新品の線状光源２８を上記と逆の手順で挿入部２９ｃから内部にスライド挿入して、他方で待ち受けられたコネクタ３２に線状光源２８の他端の電極端子２８ａを接続し、一方の挿入部２９ｃに再びコネクタ３２を内嵌挿入して交換作業が完了する。なお、線状光源２８の交換作業は、挿入部２９ｃを通さずに光源保持用シャーシ２９を分解して行ってもよいことは言うまでもない。
【００８６】
図６（Ａ）（Ｂ）は第２実施形態を示す。
本実施形態は、コネクタ４０と電力供給線３３とを着脱自在としている。即ち、電力供給線３３の端部に小コネクタ４３を接続して、その小コネクタ４３をコネクタ４０の取付穴４１ｆに内嵌係止している。
【００８７】
コネクタ４０のハウジング４１は、上下外面に係止部４１ａ、４１ｂを設け、内面に凹部４１ｃを設けており、後方側を小コネクタ４３の取付穴４１ｆとし、取付穴４１ｆ内面に被係止部４１ｄを設けている。圧接端子４２は、基板部４２ａの一部より後端側にスロット４２ｃが切り欠かれた圧接タブ４２ｂを設けていると共に、基板部４２ａの先端側より逆Ｕ字状に対向して折り返された一対の弾性舌片部４２ｄ、４２ｅを突出しており、この一対の弾性舌片部４２ｄ、４２ｅが電極端子２８ａ、２８ｂに合わせて複数設けられている。また、基板部４２ａの下面にはハウジング４１の凹部４１ｃと係止するランス部４２ｆを切り起こしている。
【００８８】
小コネクタ４３のハウジング４４は、上下外面に係止部４４ａ、４４ｂを設けている。小コネクタ４３内に係止されたタブ状端子４５は、基板部４５ａの後端に電力供給線３３を圧着するバレル部４５ｂを設けている。
小コネクタ４３をコネクタ４０の取付穴４１ｆに嵌合して係止部４４ａ、４４ｂを被係止部４１ｄ、４１ｅに係止固定することで、タブ状端子４５が圧接端子４２のスロット４２ｃに圧接接続される。なお、他の構成は第１実施形態と同様であるため説明を省略する。
【００８９】
図７は第３実施形態を示す。
本実施形態は、電力供給線３３に接続されるコネクタ４８を線状光源２８の数に合わせて一対一で設けている。
光源保持用シャーシ４７は、線状光源２８の数に合わせて挿入部４７ａを個別に穿設している。そして、個々のコネクタ４８を挿入部４７ａに内嵌挿入して係止部４８ａを挿入部４７ａの内面の被係止部（図示せず）に係止固定している。なお、他の構成は第１実施形態と同様であるため説明を省略する。
【００９０】
図８および図９は第４実施形態を示す。
本実施形態は、線状光源５１が略Ｕ字状に折り返して湾曲されて、両端の電極端子５１ａ、５１ｂが同方向に突出している。
線状光源５１の屈曲部５１ｃは支持部材５０の対向面の上面側に切り欠かれた凹部５０ａに載置され、電力供給線３３に接続された１つのコネクタ５２で電極端子５１ａ、５１ｂと嵌合接続している。
なお、支持部材５２の変形例として、図１０に示すように、線状光源５１の屈曲部５１ｃを挿入固定するための設置孔５２ａを支持部材５２の対向面より凹設する構成としてもよい。
【００９１】
上記構成とすると、ＨＯＴ側（高圧側）の電極端子５１ａと、ＧＮＤ側（低圧側）の電極端子５１ｂとが同方向に突出しており、電流密度が大きく輝度の高いＨＯＴ側と、電流密度が小さく輝度の低いＧＮＤ側とが同側に配置されるので、線状光源５１の軸線方向の電流密度分布の相違が打ち消され、全体として線状光源５１のチラツキが抑制されて輝度・色度ムラが低減される。また、ＨＯＴ側とＧＮＤ側とが同側となることで、隣接する光源のチラツキを相殺することができるので、積層される液晶パネル２２への電気的ノイズも低減される。なお、他の構成は第１実施形態と同様であるため説明を省略する。
【００９２】
図１１は第５実施形態を示す。
本実施形態は、線状光源５３に３ヶ所の屈曲部５３ｃ、５３ｄ、５３ｅを設けて略Ｗ字状に湾曲させて、両端の電極端子５３ａ、５３ｂを同方向に突出させている。
電極端子５３ａ、５３ｂと反対側の屈曲部５３ｃ、５３ｅは支持部材５０の凹部５０ａに載置され、電力供給線３３に接続された１つのコネクタ５４で電極端子５３ａ、５３ｂと嵌合接続している。なお、他の構成は第１実施形態と同様であるため説明を省略する。
【００９３】
図１２は第６実施形態を示す。
本実施形態は、隣接する直線状の線状光源２８の他端の電極端子２８ｂ同士をジョイントバスバー５６の圧接タブ５６ａで接続して擬似的にＵ字管を形成している。なお、電極端子２８ｂを接続する部材はジョイントバスバー５６に限定されず、電線や基板等により行ってもよい。また、他の構成は第１実施形態と同様であるため説明を省略する。
【００９４】
図１３乃至図１６は第７実施形態を示す。
本実施形態は、光源保持用シャーシ５８の挿入部５８ｃを線状光源２８の軸線方向に直交する方向に開口している。
光源保持用シャーシ５８は、内側面５８ｂから光源保持用の挿通孔５８ｅを穿設していると共に、下面５８ａから挿入部５８ｃを穿設して挿通孔５８ｅと連通させており、外側面から光源用の取出口５８ｆを開口している。また、挿入部５８ｃの上方面には後述するコネクタ６０の突部６１ｆを嵌合する凹部５８ｇを設けている。
バックシャーシ５９には挿入部５８ｃと連通する開口部５９ａを穿設している。
【００９５】
コネクタ６０は、図１３および図１４に示すように、電力供給線３３に圧着された圧接端子６２をハウジング６１内に係止固定している。
圧接端子６２は、基板部６２ａの一部より後端側に電力供給線３３の芯線をカシメ圧着するバレル部６２ｂを設けていると共に、基板部６２ａの先端側よりスロット６２ｄを有する圧接タブ６２ｃが電極端子２８ａ、２８ｂに合わせて複数突設されている。また、基板部６２ａの下面にはハウジング６１と係止するランス部６２ｅを切り起こしている。
ハウジング６１は樹脂あるいはシリコーンゴムからなり、側端面に係止部６１ａ、６１ｂを突出していると共に、端子収容空間の内面に圧接端子６２のランス部６２ｅが係止される凹部６１ｃを形成している。また、圧接タブ６３ｃのスロット６２ｄと対応する位置にスロット部６１ｄを切り欠いており、スロット部６１ｄの上端両側には拾込テーパ部６１ｅを設けている。スロット部６１ｄは外側方を閉鎖面６１ｆにより閉鎖されていると共に閉鎖面６１ｆの上方先端側を突出させた突部６１ｆを設けている。
【００９６】
組立手順は、線状光源２８の両端を光源保持用シャーシ５８の挿通孔５８ｅに貫通保持させることにより、挿入部５８ｃに電極端子２８ａ、２８ｂを突出させた状態から、図１６に示すように、電力供給線３３の端末に接続されたコネクタ６０をバックシャーシ５９の開口部５９ａを通して下方から挿入部５８ｃに内嵌挿入する。すると、図１５（Ａ）（Ｂ）に示すように、コネクタ６０内の圧接端子６２のスロット６２ｄに電極端子２８ａ、２８ｂが一括して圧接挟持されて電気接続され、コネクタ６０のハウジング６１の係止部６１ａ、６１ｂが挿入部５８ｃの内面の被係止部（図示せず）に係止固定されると共に、突部６１ｇが凹部５８ｇに嵌合されて閉鎖面６１ｆで取出口５８ｆが閉じられる。
【００９７】
線状光源２８の交換手順は、コネクタ６０をバックシャーシ５９の開口部５９ａを通して挿入部５８ｃから下方に引っ張ることで係止部３７ａ、３７ｂを撓ませて係止解除して引き抜き、コネクタ３２と線状光源２８とを分離させる。
そして、ベゼル２１およびフロントシャーシ２３の開口部２１ａ、２３ａと光源保持用シャーシ５８の取出口５８ｆとを通して線状光源２８を新品と交換し、上記と逆の手順で組立て直して交換作業が完了する。なお、他の構成は第１実施形態と同様であるため説明を省略する。
【００９８】
図１７は第８実施形態を示す。
本実施形態は、第７実施形態と同様に下方から接続するコネクタ６４を線状光源２８の数に合わせて一対一で設けている。
光源保持用シャーシ６５は、線状光源２８の数に合わせて挿入部６５ａを個別に下方から穿設している。そして、挿入部６５ａに対応する位置のバックシャーシ６６に穿設された開口部６６ａを通して下方からコネクタ６４を挿入部６５ａに内嵌挿入し、係止部６４ａを挿入部６５ａの内面の被係止部６５ｃに係止固定すると共に、コネクタ６４のスロット部６４ｂに電極端子２８ａをスライド嵌合している。この際、コネクタ６４の先端側の突部６４ｄが光源保持用シャーシ６６の凹部６５ｄに嵌合されると共に、コネクタ６４の閉鎖面６４ｃが取出口６５ｂを閉鎖することで、ベゼル６７の開口部６７ａもコネクタ６４により蓋がされるようになっている。なお、他の構成は第１実施形態と同様であるため説明を省略する。
【００９９】
図１８は第９実施形態を示す。
本実施形態は、上述した実施形態の全てに適用可能なもので、線状光源２８の背面側に位置する反射複合材６８の底面６８ａに線状光源２８と直交する方向に突条部６８ｂを突設しており、この突条部６８ｂの上端に所要間隔をあけて光源位置決め用のガイド部６８ｃを切り欠いている。  
上記構成とすると、線状光源２８の脱着作業を行う際に、線状光源２８の電極端子２８ａ、２８ｂがコネクタの端子に合致するようにアライメントすることができる。なお、他の構成は上述した実施形態と同様であるため同一符号を付して説明を省略する。
【０１００】
図１９乃至図２１は第１０実施形態を示す。
本実施形態の液晶表示装置７０は、照明装置８３をエッジライト(サイドライト)型バックライトとしている。
液晶パネル２２の周縁を枠状のフロントシャーシ７２とベゼル７１とで挟持し、液晶パネル２２の下方に光学シート群２７を介して照明装置８３を配置している。照明装置８３は、導光板７５の側端面に２本の線状光源７６を配置し、断面略コ字状のリフレクタ７７で線状光源７６を囲んでいると共に、導光板７５の背面側に反射シート７４を配置してバックシャーシ７３で閉鎖している。
【０１０１】
図２０および図２１に示すように、線状光源７６の両端は光源保持用シャーシ７８で位置決め保持されてリフレクタ７７内にスライド嵌合されている。光源保持用シャーシ７８は、線状光源７６を位置決めする挿通孔７８ａ、７８ｂが穿設されていると共に、挿通孔７８ａ、７８ｂと連通するように挿入部７８ｃが開口されており、挿入部７８ｃの内面には被係止部７８ｄ、７８ｅが凹設されている。
【０１０２】
コネクタ７９は、電力供給線８０に圧着された圧接端子８２をハウジング８１内に係止固定している。
圧接端子８２は、基板部８２ａの一部より後端側に電力供給線８０の芯線をカシメ圧着するバレル部８２ｄを設けていると共に、基板部８２ａの先端側よりスロット８２ｃを有する圧接タブ８２ｂが２つ突出している。
ハウジング８１は樹脂等の高分子材料からなり、側面先端より折り返し状に可撓片８１ａ、８１ｂ（係止解除手段）を突出しており、可撓片８１ａ、８１ｂの外面に係止部８１ｃ、８１ｄを突設している。
【０１０３】
コネクタ７９を光源保持用シャーシ７８の挿入部７８ｃに嵌合すると、係止部８１ｃ、８１ｄが被係止部７８ｄ、７８ｅに係止固定され、線状光源７６の電極端子７６ａが圧接端子８２のスロット８２ｃに挟持される。コネクタ７９を離脱させたい場合には、可撓片８１ａ、８１ｂをつまんで近接方向に撓ませることで、係止部８１ｃ、８１ｄと被係止部７８ｄ、７８ｅとの係止を容易に解除することができる。
そして、コネクタ７９が離脱された状態から、線状光源７６を側方にスライドさせることで、光源保持用シャーシ７８と共に容易に取り出して交換作業を行うことができる。
【０１０４】
図２２は第１１実施形態を示す。
本実施形態は、バックシャーシ８５の側壁８５ａを光源保持用シャーシとして利用し挿入部８５ｂを設けている。挿入部８５ｂの内面には被係止部８５ｃを設けている。
各線状光源７６はホルダ８４により位置決め保持されてリフレクタ７７内にスライド嵌合されている。
【０１０５】
コネクタ８６は挿入部８５ｂに嵌合することで、その係止部８６ａが被係止部８５ｃに係止固定されると共に、線状光源７６の電極端子７６ａと電気接続される。線状光源７６の交換作業は、その逆の手順でコネクタ８６を挿入部８５ｂから抜き取った後、線状光源７６をホルダ８４ごと挿入部８５ｂを通して外部へ取り出して行う。なお、線状光源７６同士を保持するホルダ８４を廃止してシャーシの側壁８５自体に光源用のホールド孔を設けてもよい。他の構成は第１０実施形態と同様であるため説明を省略する。
【０１０６】
図２３は第１２実施形態を示す。
本実施形態は、第４実施形態と同様に、線状光源８８が略Ｕ字状に折り返して湾曲されて、両端の電極端子８８ａ、８８ｂが同方向に突出している。
線状光源８８は、その屈曲部８８ｃ側をホールド孔９０ａ、９０ｂを有するホルダ９０で位置決め保持している。なお、他の構成は第１０実施形態と同様であるため説明を省略する。
【０１０７】
図２４は第１３実施形態を示す。
本実施形態は、第５実施形態と同様に、線状光源９４を略Ｗ字状に湾曲させて、両端の電極端子９４ａ、９４ｂを同方向に突出させている。なお、他の構成は第１０実施形態と同様であるため説明を省略する。
【０１０８】
図２５は第１４実施形態を示す。
本実施形態は、隣接する直線状の線状光源７６の他端の電極端子７６ｂ同士を電線９６で接続して擬似的にＵ字管を形成している。なお、電極端子７６ｂを接続する部材は電線９６に限定されず、ジョイントバスバーや基板等により行ってもよい。また、他の構成は第１０実施形態と同様であるため説明を省略する。
【０１０９】
図２６（Ａ）（Ｂ）は第１５実施形態を示す。
本実施形態のコネクタ９８は、上述したあらゆる実施形態に適用可能なもので、ハウジングの上下外面に傾斜面９８ａ−１を有する断面三角状の係止部９８ａを突設している。なお、係止部９８ａの配置はハウジングの左右面でもよく、また、係止部９８ａの数も１つ以上の幾つでもよい。
【０１１０】
図２７は第１６実施形態を示す。
本実施形態のコネクタ１００は、上述したあらゆる実施形態に適用可能なもので、ハウジングの外面に三角柱状の係止部１００ａを突設している。
【０１１１】
図２８は第１７実施形態を示す。
本実施形態のコネクタ１０２は、上述したあらゆる実施形態に適用可能なもので、ハウジングの外面に円柱状の係止部１０２ａを突設している。
【０１１２】
図２９は第１８実施形態を示す。
本実施形態のコネクタ１０４は、上述したあらゆる実施形態に適用可能なもので、ハウジングの外面に四角柱状の係止部１０４ａを突設している。
【０１１３】
図３０は第１９実施形態を示す。
本実施形態のコネクタ１０６は、上述したあらゆる実施形態に適用可能なもので、弾性を有するハウジング１０７の内部に剛性を有する内装部材１０８を内嵌し、その内装部材１０８に電力供給線端末に接続された圧接端子１０９を係止している。
【０１１４】
ハウジング１０７は樹脂やゴム等の高分子材料であり、外面に係止部１０７ａを突設していると共に、内面に係止突部１０７ｃを設けている。
内装部材１０８は金属製であり、係止突起１０７ｃを係止する被係止孔１０８ａと、圧接端子１０９を係止する被係止孔１０８ｂとを備えている。
圧接端子１０９は金属製で、基板部１０９の一部より後端側に電力供給線の芯線をカシメ圧着するバレル部１０９ｂを設けていると共に、基板部１０９ａの先端側より逆Ｕ字状に対向して折り返された一対の弾性舌片部１０９ｄ、１０９ｅを突出しており、基板部１０９ａの下面には内装部材１０８の被係止孔１０８ｂに係止するランス部１０９ｃを切り起こしている。
【０１１５】
上記構成とすると、シャーシと係止する係止部１０７ａ、１０７ｂは弾性を持たせることができると共に、圧接端子１０９を剛性強度のある内装部材１０８により確実に保持固定することができる。なお、ハウジング１０７はゴムに限定されず、弾性を有するものであれば樹脂、シリコーン等の他の材料でも構わない。また、内装部材１０８は金属に限定されず、剛性を有するものであれば樹脂等の他の材料でも構わない。
【０１１６】
図３１は第２０実施形態を示す。
本実施形態のコネクタ１１０は、上述したあらゆる実施形態に適用可能なもので、係止解除手段となる可撓舌片部１１０ａを設けている。
コネクタ１１０のハウジングは樹脂で成形され、外面から後方へ向けて可撓舌片部１１０ａを突出しており、可撓舌片部１１０ａの外面に係止部１１０ｂを設けている。この係止部１１０ｂを挿入部の被係止部（図示せず）に係止した状態から可撓舌片部１１０ａの後端１１０ｃを下方に押圧することで、係止を解除できるようになっている。
【０１１７】
図３２は第２１実施形態を示す。
本実施形態のコネクタ１１２は、上述したあらゆる実施形態に適用可能なもので、ハウジング外面に略Ｕ字状のスリット１１２ａを切り欠いて可撓部１１２ｂを形成し、可撓部１１２ｂの後端に係止部１１２ｃを突設している。
【０１１８】
図３３および図３４は第２２実施形態を示す。
本実施形態のコネクタ１１４は断面円形状で、外面に係止突起１１４ａを突設している。光源保持用シャーシ１１５の円筒状の挿入部１１６の内面にはコネクタ挿通側端面から被係止溝１１７を切り欠いている。被係止溝１１７はＬ字状で、軸線方向に沿った水平部１１７ａに連続して屈曲部１１７ｃを介して垂直部１１７ｂを設けている。
【０１１９】
コネクタ１１４を挿入部１１６に挿入すると共に係止突起１１４ａを被係止溝１１７の水平部１１７ａにスライド挿入し、係止突起１１４ａが屈曲部１１７ｃに到達した時点でコネクタ１１４を軸線回りの時計回りに回転させることで、係止突起１１４ａを垂直部１１７ｂに移動させて係止する。コネクタ１１４を取り外す際は、上記逆の手順で反時計回りに回転させた後で引き抜くことで簡単に離脱させることができる。
【０１２０】
図３５は第２３実施形態を示す。
第２２実施形態との相違点は、光源保持用シャーシ１１９の挿入部１２０の被係止溝１２１の終端に返し部１２１ｃを設けている点である。
被係止溝１２１は、軸線方向に沿った水平部１２１ａに連続して垂直部１２１ｂを設けていると共に、垂直部１２１ｂの先端でコネクタ挿入方向と逆方向に向けた返し部１２１ｃを設けている。こうすると、係止突起１１４ａが返し部１２１ｃに到達することで、コネクタ１１４の抜け防止を図ることができる。
【０１２１】
図３６は第２４実施形態を示す。
第２３実施形態との相違点は、光源保持用シャーシ１２３の挿入部１２４の被係止溝１２５の屈曲部１２５ｄを鈍角に屈曲している点である。
被係止溝１２５は、軸線方向に沿った水平部１２５ａから鈍角の屈曲部１２５ｄを介して傾斜部１２５ｂを設けていると共に、傾斜部１２５ｂの先端でコネクタ挿入方向と逆方向に向けた返し部１２５ｃを設けている。こうすると、被係止溝１２５が斜めの流線型状に形成されるので、被係止溝１２５に追従したコネクタ１１４の回転動作と共にコネクタ１１４を線状光源２８の電極端子２８ａに近接・離反させることができ、電極端子２８ａとの接続距離を調整することが可能となる。
【０１２２】
図３７は第２５実施形態を示す。
第２２実施形態との相違点は、光源保持用シャーシ１２７の挿入部１２８の被係止溝１２９を螺旋状に形成している点である。
コネクタ１１４を挿入部１２８に回転させながら挿入することで、係止突起１１４ａを被係止溝１２９にスライド挿入して螺着する。上記構成とすると、コネクタ１１４の回転動作と共にコネクタ１１４を線状光源２８の電極端子２８ａに近接・離反させることができ、電極端子２８ａとの接続距離を調整することが可能となる。また、被係止溝１２９が螺旋状であることよりコネクタ１１４が不意に抜けにくくなっている。
【０１２３】
図３８（Ａ）（Ｂ）は第２６実施形態を示す。
本実施形態のコネクタ１３１は、第２２〜第２５実施形態以外の上述したあらゆる実施形態に適用可能であり、コネクタ１３１の形状は断面三角状となっており、その外面に係止部１３１ａ、１３１ｂを突設している。なお、このコネクタ１３１が嵌合されるコネクタ挿通部（図示せず）も同様の断面三角状とする。
【０１２４】
図３９（Ａ）（Ｂ）は第２７実施形態を示す。
本実施形態のコネクタ１３３は、第２２〜第２５実施形態以外の上述したあらゆる実施形態に適用可能であり、コネクタ１３３の形状は断面多角形状（本実施形態では六角形状）となっており、その外面に係止部１３３ａ〜ｄを突設している。なお、このコネクタ１３３が嵌合されるコネクタ挿通部（図示せず）も同様の断面多角形状とする。
【０１２５】
図４０（Ａ）（Ｂ）は第２８実施形態を示す。
本実施形態のコネクタ１３５は、第２２〜第２５実施形態以外の上述したあらゆる実施形態に適用可能であり、断面矩形状のハウジングの左右外面に一対の位置決め用のガイド突起部１３５ｃ、１３５ｄを設けていると共に、ハウジング上下外面には係止部１３５ａ、１３５ｂを設けている。
光源保持用シャーシ１３６の挿入部１３６ａにはガイド突起部１３５ｃ、１３５ｄに対応するガイド溝１３６ｂ、１３６ｃを切り欠いていると共に、被係止部１３６ａを設けている。
【０１２６】
図４１は第２９実施形態を示す。
本実施形態は、第２２〜第２５実施形態以外の上述したあらゆる実施形態に適用可能であり、第２８実施形態との相違点は、断面円形状のコネクタ１３８のハウジング外面に一対のガイド突起部１３８ｃ、１３８ｄを設けている点である。また、ハウジング外面には係止部１３８ａ、１３８ｂを突設している。
【０１２７】
図４２は第３０実施形態を示す。
本実施形態は、第２２〜第２５実施形態以外の上述したあらゆる実施形態に適用可能であり、第２８実施形態との相違点は、断面三角形状のコネクタ１４０のハウジング外面に１つのガイド突起部１４０ｃを設けている点である。また、ハウジング外面には係止部１４０ａ、１４０ｂを突設している。
【０１２８】
図４３は第３１実施形態を示す。
本実施形態は、電力供給線の端末に圧着されてコネクタハウジング内に収容される圧接端子１４２のバリエーションを示している。
圧接端子１４２は、音叉状に一対の対向片１４２ａ、１４２ｂを突出しており、対向片１４２ａ、１４２ｂの所要位置において離反方向に膨出する円弧部１４２ｃ、１４２ｄを設けて仮想円筒部を形成している。線状光源２８の電極端子２８ａは、対向する円弧部１４２ｃ、１４２ｄに密嵌挿入することで電気接続を行う。
【０１２９】
図４４は第３２実施形態を示す。
本実施形態の圧接端子１４４は、一対の湾曲した円弧部１４４ａ、１４４ｂを対向して突出させていると共に、円弧部１４４ａ、１４４ｂの互いの先端を近接させて円筒部を形成している。線状光源２８の電極端子２８ａは、円弧部１４４ａ、１４４ｂの内部円筒空間に密嵌挿入されることで電気接続される。
【０１３０】
図４５は第３３実施形態を示す。
本実施形態の圧接端子１４６は、略Ｕ字状に突出された弾性舌片部１４６ａ、１４６ｂの先端に向けて近接させており、先端部１４６ｃ、１４６ｄを外方に反り返している。
線状光源２８の電極端子２８ａは、対向する一対の先端部１４６ｃ、１４６ｄの間に差し込んで圧接接続させる。この際、先端部１４６ｃ、１４６ｄが反り返っているので、電極端子２８ａがスムーズに拾い込むことができる。
【０１３１】
図４６は第３４実施形態を示す。
本実施形態の圧接端子１４８は、線状光源２８と同じ軸線方向を有する略円筒部１４８ａを備え、略円筒部１４８ａの内部空間１４８ｂは、先端開口から終端部１４８ｃ側へ狭くなるようにしている。そして、線状光源２８の電極端子２８ａを圧接端子１４８の内部空間１４８ｂに差し込むことで、電極端子２８ａの先端側が密嵌されて電気接続が確保される。
【０１３２】
図４７（Ａ）〜（Ｃ）は第３５実施形態を示す。
本実施形態は、コネクタ１５０側の外面に断面三角状の被係止部１５０ａを凹設していると共に、光源保持用シャーシ１５１の挿入部１５１ａに断面三角状の係止部１５１ｂを突設している。
また、変形例として、図４８（Ａ）のように、コネクタ１５３被係止部１５３ａを三角柱状の凹部としたり、図４８（Ｂ）のように、コネクタ１５５の被係止部１５５ａを円柱状の凹部としたり等あらゆる形状にすることが考えられる。なお、その際に、光源保持シャーシ側に設ける係止部の形状もそれに対応する形状とすることは言うまでもない。
【０１３３】
図４９は第３６実施形態を示す。
本実施形態のコネクタ１５７は上述したあらゆる実施形態に適用可能であり、断面矩形状のハウジングの左右外面に一対の位置決め用のガイド溝１５７ｂを切り欠いていると共に、ハウジング上下外面には係止部１５７ａを設けている。
光源保持用シャーシ１５８の挿入部１５８ａにはガイド溝１５７ａに対応するガイド突起部１５８ｂを設けていると共に、被係止部１５８ｃを設けている。
【０１３４】
また、変形例として、図５０（Ａ）のように、コネクタ１６０を断面円形状としてその上下外面に係止部１６０ａを突設すると共に左右外面にガイド溝１６０ｂを設けるようにしたり、図５０（Ｂ）のように、コネクタ１６２を断面三角状としてその外面に係止部１６２ａを突設すると共にガイド溝１６２ｂを設けるようにしたり等あらゆる形状にすることが考えられる。なお、その際に、光源保持シャーシ側に設ける係止部の形状もそれに対応する形状とすることは言うまでもない。
【０１３５】
図５１および図５２は第３７実施形態を示す。
本実施形態は図１９に示すようなエッジライト(サイドライト)型の照明装置をバックライトとした液晶表示装置であって、リフレクタ１６７で囲まれた線状光源２８の電極端子２８ａの下方においてシャーシ１６５に挿入部１６５ａを穿設していると共に、線状光源２８の軸線方向に取出口１６５ｂを開口しており、挿入部１６５ａ内の側面には被係止部１６５ｃを備え、上面に後述するコネクタ１６６の突部１６６ｄを嵌合する凹部１６５ｄを設けている。また、シャーシ１６５に被せるベゼル１６４にも取出口１６５ｂに対応する位置に開口部１６４ａを設けている。
【０１３６】
コネクタ１６６は、電極端子２８ａを挿入するスロット部１６６ｂを切り欠いていると共に側端面に係止部１６６ａを突出しており、スロット部１６６ｂは外側方を閉鎖面６６ｃにより閉鎖されていると共に閉鎖面１６６ｃの上方先端側を突出させた突部１６６ｄを設けている。
【０１３７】
組立手順は、コネクタ１６６をシャーシ１６５の挿入部１６５ａを通して下方から内嵌挿入し、電極端子２８ａがコネクタ１６６のスロット部１６６ｂに挿入されることで、コネクタ１６６内部の端子に電極端子２８ａが圧接接続され、コネクタ１６６の係止部１６６ａが挿入部１６５ａの内面の被係止部１６５ｃに係止固定されると共に突部１６６ｄが凹部１６５ｄに嵌合され、閉鎖面１６６ｃでシャーシ１６５の取出口１６５ｂおよびベゼル１６４の開口部１６４ａが閉じられる。
【０１３８】
線状光源２８の交換手順は、コネクタ１６６をシャーシ１６５の挿入部１６５ａから下方に引き抜くことで係止部１６６ａを撓ませて係止解除し、コネクタ１６６と線状光源２８とを分離させる。そして、ベゼル１６４の開口部１６４ａおよびシャーシ１６５の取出口１６５ｂを通して線状光源２８を新品と交換し、上記と逆の手順で組立て直して交換作業が完了する。
【０１３９】
また、上記各実施形態の照明装置で照明される表示装置は、図５３（Ａ）に示すように、液晶に電圧をかけて、電気的に光の偏光を制御して画像を表示している表示装置であるが、図５３（Ｂ）〜（Ｄ）に示すように、物理的、機械的に光をシャッタリングして、光の強度を制御する表示装置にも適用できる。  図５３（Ｂ）は１画素を示し、図５３（Ｃ）では１画素を微細な四角状シャッターの市松配置とし、図５３（Ｄ）は微細な円形状シャッターの市松配置し、１画素中に光透過部２００と光遮断部３００とを形成している。
なお、シャッター形状は四角状や円形状に限定されず、三角状を含む多角形等としてもよい。
【図面の簡単な説明】
【０１４０】
【図１】本発明の第１実施形態の液晶表示装置の分解斜視図である。
【図２】第１実施形態の液晶表示装置の分解断面図である。
【図３】第１実施形態の液晶表示装置の断面図である。
【図４】第１実施形態の光源とコネクタの接続を示す平面図である。
【図５】第１実施形態のコネクタ内の端子の要部斜視図である。
【図６】（Ａ）は第２実施形態のコネクタの断面図、（Ｂ）は平面図である。
【図７】第３実施形態の要部斜視図である。
【図８】第４実施形態の平面図である。
【図９】第４実施形態の要部斜視図である。
【図１０】変形例の要部斜視図である。
【図１１】第５実施形態の平面図である。
【図１２】第６実施形態の平面図である。
【図１３】第７実施形態の液晶表示装置の分解断面図である。
【図１４】第７実施形態のコネクタの側面図である。
【図１５】（Ａ）（Ｂ）は第７実施形態の光源の電極端子とコネクタ端子との接続を示す図面である。
【図１６】第７実施形態の液晶表示装置の断面図である。
【図１７】第８実施形態の要部斜視図である。
【図１８】第９実施形態の要部斜視図である。
【図１９】第１０実施形態の液晶表示装置の断面図である。
【図２０】第１０実施形態の光源とコネクタの接続を示す図面である。
【図２１】第１０実施形態の光源とコネクタの接続を示す要部拡大図である。
【図２２】第１１実施形態を示す図面である。
【図２３】第１２実施形態を示す図面である。
【図２４】第１３実施形態を示す図面である。
【図２５】第１４実施形態を示す図面である。
【図２６】（Ａ）は第１５実施形態のコネクタを示す斜視図、（Ｂ）は側面図である。
【図２７】第１６実施形態のコネクタを示す斜視図である。
【図２８】第１７実施形態のコネクタを示す斜視図である。
【図２９】第１８実施形態のコネクタを示す斜視図である。
【図３０】第１９実施形態のコネクタを示す断面図である。
【図３１】第２０実施形態のコネクタを示す側面図である。
【図３２】第２１実施形態のコネクタを示す斜視図である。
【図３３】第２２実施形態を示す要部斜視図である。
【図３４】第２２実施形態の要部断面図である。
【図３５】第２３実施形態の要部断面図である。
【図３６】第２４実施形態の要部断面図である。
【図３７】第２５実施形態の要部断面図である。
【図３８】（Ａ）は第２６実施形態のコネクタの斜視図、（Ｂ）は正面図である。
【図３９】（Ａ）は第２７実施形態のコネクタの斜視図、（Ｂ）は正面図である。
【図４０】（Ａ）は第２８実施形態のコネクタの斜視図、（Ｂ）は正面図である。
【図４１】第２９実施形態のコネクタの正面図である。
【図４２】第３０実施形態のコネクタの正面図である。
【図４３】第３１実施形態の圧接端子を示す要部斜視図である。
【図４４】第３２実施形態の圧接端子を示す要部斜視図である。
【図４５】第３３実施形態の圧接端子を示す要部斜視図である。
【図４６】第３４実施形態の圧接端子を示す要部斜視図である。
【図４７】（Ａ）は第３５実施形態の要部斜視図、（Ｂ）はコネクタの正面図、（Ｃ）は側面図である。
【図４８】（Ａ）（Ｂ）は第３５実施形態の変形例のコネクタの斜視図である。
【図４９】第３６実施形態の要部斜視図である。
【図５０】（Ａ）（Ｂ）は第３６実施形態の変形例のコネクタの斜視図である。
【図５１】第３７実施形態の要部斜視図である。
【図５２】第３７実施形態の要部断面図である。
【図５３】（Ａ）〜（Ｄ）は本発明の照明装置で照明される表示装置において、光制御方式を変えた例を示す概略図である。
【図５４】液晶表示装置を示す断面図である。
【図５５】従来のエッジライト(サイドライト)型バックライトの光源を示す図面である。
【図５６】従来例を示す図面である。
【図５７】従来の直下(ダイレクト)型バックライトの光源を示す図面である。
【図５８】（Ａ）は光源の軸線方向の電位を示すグラフ、（Ｂ）は液晶表示装置の表示品位を示す図面である。
【符号の説明】
【０１４１】
２０、７０    液晶表示装置
２１、７１    ベゼル
２２    液晶パネル（表示パネル）
２３、７２    フロントシャーシ
２４    拡散シート
２５    プリズムシート
２６    拡散シート
２７    光学シート群
２８、５１、５３、７６    線状光源
２８ａ、２８ｂ  電極端子（第一の端子）
２９、４７、５８、６５    光源保持用シャーシ
２９ｃ、４７ａ、５８ｃ、６５ａ  挿入部
２９ｄ  被係止部
２９ｅ、５８ｅ  挿通孔
３０、６８    反射複合材
３１、５９、６６、７３    バックシャーシ
３２、４０、４８、６０、６４、７９    コネクタ
３３    電力供給線
３４    反射シート
３５    金属板
３６    インバータ
３７    ハウジング
３７ａ、３７ｂ  係止部
３７ｃ  凹部
３８、６２    端子（第二の端子）
３８ｂ  バレル部
３８ｃ  ランス部
３８ｄ、３８ｅ  弾性舌片部  
３９    照明装置（バックライト）
４１    ハウジング
４１ｆ  取付穴
４２    端子
４３    小コネクタ
５６    ジョイントバスバー    
６８ｃ  ガイド凹部（ガイド部）
７７    リフレクタ
７４    反射シート
７８    ホルダ
８５    シャーシ
８５ｂ  挿入部
【図１】
2005302533.tif 000003
【図２】
2005302533.tif 000004
【図３】
2005302533.tif 000005
【図４】
2005302533.tif 000006
【図５】
2005302533.tif 000007
【図６】
2005302533.tif 000008
【図７】
2005302533.tif 000009
【図８】
2005302533.tif 000010
【図９】
2005302533.tif 000011
【図１０】
2005302533.tif 000012
【図１１】
2005302533.tif 000013
【図１２】
2005302533.tif 000014
【図１３】
2005302533.tif 000015
【図１４】
2005302533.tif 000016
【図１５】
2005302533.tif 000017
【図１６】
2005302533.tif 000018
【図１７】
2005302533.tif 000019
【図１８】
2005302533.tif 000020
【図１９】
2005302533.tif 000021
【図２０】
2005302533.tif 000022
【図２１】
2005302533.tif 000023
【図２２】
2005302533.tif 000024
【図２３】
2005302533.tif 000025
【図２４】
2005302533.tif 000026
【図２５】
2005302533.tif 000027
【図２６】
2005302533.tif 000028
【図２７】
2005302533.tif 000029
【図２８】
2005302533.tif 000030
【図２９】
2005302533.tif 000031
【図３０】
2005302533.tif 000032
【図３１】
2005302533.tif 000033
【図３２】
2005302533.tif 000034
【図３３】
2005302533.tif 000035
【図３４】
2005302533.tif 000036
【図３５】
2005302533.tif 000037
【図３６】
2005302533.tif 000038
【図３７】
2005302533.tif 000039
【図３８】
2005302533.tif 000040
【図３９】
2005302533.tif 000041
【図４０】
2005302533.tif 000042
【図４１】
2005302533.tif 000043
【図４２】
2005302533.tif 000044
【図４３】
2005302533.tif 000045
【図４４】
2005302533.tif 000046
【図４５】
2005302533.tif 000047
【図４６】
2005302533.tif 000048
【図４７】
2005302533.tif 000049
【図４８】
2005302533.tif 000050
【図４９】
2005302533.tif 000051
【図５０】
2005302533.tif 000052
【図５１】
2005302533.tif 000053
【図５２】
2005302533.tif 000054
【図５３】
2005302533.tif 000055
【図５４】
2005302533.tif 000056
【図５５】
2005302533.tif 000057
【図５６】
2005302533.tif 000058
【図５７】
2005302533.tif 000059
【図５８】
2005302533.tif 000060